(57)【要約】【課題】通風性、採光性に優れた開放感のある螺旋階段構造を提供する。【解決手段】支柱２と、手摺り壁３と、段板４とからなり、支柱２は、複数本の長尺の鋼材２０からなり、隣接する鋼材２０間に間隙を存した状態で、天井５１の躯体５１ａに固定されて吊り下げられてなり、手摺り壁３は、複数本の長尺の板材３０からなり、前記鋼材２０と対応するように、隣接する板材３０間に間隙を存した状態で、床上５２に立設固定されてなり、段板４は、前記鋼材２０と、それに対応する板材３０との間にそれぞれ設けられた段板支持部材４１の上に固定された螺旋階段構造である。手摺り壁３は、隣接する板材３０間の間隙を無くした状態としたものであってもよい。【選択図】  図１
2008002092.tif 000002
【特許請求の範囲】
【請求項１】
支柱と、手摺り壁と、段板とからなり、
支柱は、複数本の長尺の鋼材からなり、隣接する鋼材間に間隙を存した状態で、天井の躯体に固定されて吊り下げられてなり、
手摺り壁は、複数本の長尺の板材からなり、前記鋼材と対応するように、床上に立設固定されてなり、
段板は、前記鋼材と、それに対応する板材との間にそれぞれ設けられた段板支持部材の上に固定されたことを特徴とする螺旋階段構造。
【請求項２】
手摺り壁は、隣接する板材間に間隙を存した状態となされた請求項１記載の螺旋階段構造。
【発明の詳細な説明】
【技術分野】
【０００１】
本発明は、住宅建物内に設けられる螺旋階段構造に関するものである。
【背景技術】
【０００２】
一般に、住宅建物内の居間などの吹き抜け空間に、螺旋階段を設けることが行われている。
【０００３】
この場合、螺旋階段は、蹴込板を無くして視線の抜けを良くしたシースルータイプのものが用いられる。
【０００４】
従来より、このような螺旋階段としては、支柱に、各段毎に段板を固定した後、この段板に手摺りを固定するようになされた組立型のものや（例えば、特許文献１、特許文献２参照）、現場において、支柱に段板と手摺りとを溶接して完成させるようになされた現場溶接型のものが知られている。
【特許文献１】特開２０００−２１３１３４号公報
【特許文献２】特開２０００−１２０２４６号公報
【発明の開示】
【発明が解決しようとする課題】
【０００５】
しかし、上記従来のいずれの螺旋階段の場合も、しっかりとした支柱によって段板が支持されることによって形成されているため、階段の中心に極太の支柱が必要とされる。したがって、支柱の印象が強くなるとともに、階段を昇降する際、常に視線の先に極太の支柱が入るため、見た目の印象程に開放感のある階段とはならない。
【０００６】
また、階段の周囲は明るいが、中心部分が支柱によって遮られるので、中心部が吹き抜けた中空階段ほどの通風性や採光性は得られない。
【０００７】
本発明は、係る実情に鑑みてなされたものであって、通風性、採光性に優れた開放感のある螺旋階段構造を提供することを目的としている。
【課題を解決するための手段】
【０００８】
上記課題を解決するための本発明の螺旋階段構造は、支柱と、手摺り壁と、段板とからなり、支柱は、複数本の長尺の鋼材からなり、隣接する鋼材間に間隙を存した状態で、天井の躯体に固定されて吊り下げられてなり、手摺り壁は、複数本の長尺の板材からなり、前記鋼材と対応するように、床上に立設固定されてなり、段板は、前記鋼材と、それに対応する板材との間にそれぞれ設けられた段板支持部材の上に固定されたものである。
【０００９】
また、上記螺旋階段構造において、手摺り壁は、隣接する板材間に間隙を存した状態となされたものである。
【発明の効果】
【００１０】
以上述べたように、本発明によると、螺旋階段の支柱に相当する部分は、隣接する鋼材間に間隙を存した状態で、天井の躯体に固定されて所定の中心半径の円筒状となるように吊り下げられて構成されているので、階段の支柱側の間隙から採光や通風が得られ、優れた開放感の螺旋階段とすることができる。
【００１１】
また、手摺り壁に相当する部分も、隣接する板材間に間隙を存した状態で、所定の中心半径の円筒状となるように床上に立設固定することにより、階段の支柱側手摺り壁側ともに間隙から採光や通風が得られ、よりいっそう優れた開放感の螺旋階段とすることができる。
【発明を実施するための最良の形態】
【００１２】
以下、本発明の実施の形態を図面を参照して説明する。
【００１３】
図１および図２は螺旋階段１の全体構成の概略を示し、図３ないし図９は同螺旋階段１の各部を示している。
【００１４】
すなわち、この螺旋階段１は、支柱２、手摺り壁３、段板４によって構成され、住宅建物５の吹き抜け空間５０に設けられるようになされている。
【００１５】
支柱２は、複数本の長尺の鋼材２０によって構成されている。各鋼材２０は、住宅建物５の天井５１から吊り下げられて一階床面５２に到るようになされている。各鋼材２０を天井５１から吊り下げる際には、図３ないし図５に示すように、天井５１の躯体５１ａに、固定用のプレート２１を設けておき、このプレート２１から延設された複数の取付部２２に各鋼材２０をボルトナットで固定することによって取り付けられる。このプレート２１から延設された複数の取付部２２は、それぞれが適宜の間隔を存して半円筒状に配置されており、各取付部２２に鋼材２０を取り付けることで、各鋼材２０は、隣接する鋼材２０間に間隙を存した状態で、中心半径約１８０度の半円筒状となって吊り下げられる。
【００１６】
なお、各鋼材２０は、天井５１から一階床面５２までに到る長尺の一本物であってもよいし、適宜の間隔で継ぎ足し接続して構成するものであってもよい。いずれにせよ各鋼材２０は、天井５１から一階床面５２までに到る長さとした場合、それぞれが撓み易くなってしまう。したがって、図２に示すように、支柱２を構成する各鋼材２０が、半円筒状の形状を維持し、かつ、強度を増すように、各鋼材２０には、半円筒状の補強部材２３が取り付けられる。また、各鋼材２０の下端部は、一階床面５２の部分から延設されたベンチ用のベースプレート５２ａの外周に取り付けられる。
【００１７】
また、隣接する各鋼材２０同士の間隙は、特に限定されるものではないが、間隙をあまり大きくしすぎると、その分鋼材２０を細く形成しなければならないで、強度を確保することができなくなり、間隙をあまり小さくしすぎると、その分鋼材２０を太くして強度を確保できるが、通風や採光のための十分な間隙を形成できなくなる。したがって、この間隙は、鋼材２０の強度との兼ね合いでできるだけ細く形成したものを用いることが、十分な通風や採光を得るためには好ましい。
【００１８】
手摺り壁３は、複数本の長尺の板材３０によって構成されている。各板材３０は、一階床面５２に立設固定されている。各板材３０を立設固定する際には、図６に示すように、一階床面５２、一階５３と二階５４との吹き抜け壁部５６、二階５４と塔屋５５との吹き抜け壁部５６のそれぞれに固定用のプレート３１を設けておき、このプレート３１に各板材３０をビス固定することによって取り付けられる。このプレート３１から延設された複数の取付部３２は、それぞれが適宜の間隔を存して半円筒状に配置されており、各取付部３２に板材３０を取り付けることで、各板材３０は、隣接する板材３０間に間隙を存した状態で、中心半径約１８０度の半円筒状となって一階床面５２から天井５１付近に到る高さまで延設した状態で立設固定される。また、この状態で各板材３０は、支柱２を構成する各鋼材２０と対応するようになされている。
【００１９】
なお、各板材３０は、一階床面５２から天井５１付近に到る高さまでの長さを有する長尺の一本物であってもよいし、適宜の間隔で継ぎ足し接続して構成するものであってもよい。ただし、継ぎ足し接続した板材３０の場合、撓まないように、上記した固定用のプレート３１の位置で継ぎ足し接続されていることが好ましい。この手摺り壁３の内周面には、手摺り３３が取り付けられる。
【００２０】
また、隣接する各板材３０同士の間隙は、特に限定されるものではないが、間隙をあまり大きくしすぎると、その分板材３０を細く形成しなければならないで、強度を確保することができなくなり、間隙をあまり小さくしすぎると、その分板材３０を太くして強度を確保できるが、通風や採光のための十分な間隙を形成できなくなる。したがって、この間隙は、手摺り壁３の目的に応じて適宜決定される。例えば、本実施の形態のように、隣接する板材３０同士の間隙を小さくした場合、適度な通風や採光を確保しながら視線を遮ることができる。この間隙を大きくしたい場合は、板材３０ではなく、強度のある鋼板を用いればよい。この場合、より間隙を大きくして通風性や採光性に加え、十分な視線の抜けを確保することもできる。また、間隙を完全に無くして手摺り壁３からは通風性や採光性を得ないようにしてもよい。本実施の形態のように、板材３０の幅約２８０ｍｍに対して間隙４０ｍｍ程度にしておけば、適宜に視線を遮りながら、通風や採光を確保でき、特に、間隙をこのように小さくすることで、ベンチュリ効果による換気効率の向上も望めることとなる。
【００２１】
段板４は、支柱２を構成する鋼材２０と、手摺り壁３を構成する板材３０との間にそれぞれわたした段板支持部材４１の上に固定して構成されている。段板支持部材４１の一端部には、鋼材２０を挟持してボルトナット４２で固定するための挟持部４３が形成されており、他端部は、板材３０に設けられた孔３０ａに差し込むことができるようになれた差込部４４となされている。また、段板支持部材４１の上面両端部には、Ｌ字状のアングル材４５が溶接固定されており、このアングル材４５間に段板４を設けてビス４６で固定することで、段板支持部材４１に段板４を固定することができるようになされている。各段板支持部材４１は、鋼材２０と、この鋼材２０に対向する板材３０との間に設けられ、一階５３から二階５４、二階５４から塔屋５５へと螺旋状に上昇するように配置される。
【００２２】
このようにして構成される螺旋階段構造によると、螺旋階段１の支柱２に相当する部分は、隣接する鋼材２０間に間隙を存した状態となり、手摺り壁３に相当する部分も、隣接する板材３０間に間隙を存した状態となるため、螺旋階段１の支柱２側および手摺り壁３側の双方の間隙から採光や通風が得られ、優れた開放感の螺旋階段１とすることができる。
【００２３】
また、隣接する鋼材２０間にのみ間隙を存した状態とし、手摺り壁３に相当する部分は、隣接する板材３０間に間隙を形成しなかった螺旋階段１の場合であっても、螺旋階段１の中心である支柱２側の間隙から採光や通風が得られる。特に、従来の螺旋階段は、この支柱２のある中心側からの採光や通風が悪く、手摺り壁３側からの通風や採光を取るようになっていたので、手摺り壁３に隣接する螺旋階段１の周辺には居室などを設けることはできなかった。しかし、本実施の形態のように隣接する板材３０同士の間隙を小さくしたり、間隙を完全に無くした手摺り壁３とした場合は、手摺り壁３に隣接する螺旋階段１の周辺には居室などを設けることが可能となる。
【００２４】
また、この螺旋階段構造によると、螺旋階段１の支柱２に相当する部分は、隣接する鋼材２０間に間隙を存した状態となっているため、上記した通風性や採光性のみならず、階段昇降時に視線が抜けるので、開放感に優れ、安全性にも優れたものとなる。
【００２５】
なお、本実施の形態において、螺旋階段１は、一階５３から二階５４を経て塔屋５５へと到るように設けられているが、塔屋５５が無く、一階５３から二階５４へと設けるようになされたものであってもよい。
【００２６】
また、本実施の形態において、螺旋階段１は、二階建てとなされた住宅建物５の吹き抜け空間５０に設けるようになされているが、三階建てとなされたものであってもよい。
【００２７】
さらに、本実施の形態において、螺旋階段１は、中心角が約１８０度の半円筒状となされているが、略円筒状となされたものであってもよい。
【産業上の利用可能性】
【００２８】
住宅建物の螺旋階段として利用できる。
【図面の簡単な説明】
【００２９】
【図１】本発明に係る螺旋階段構造の全体構成の概略を示す部分省略側断面図である。
【図２】本発明に係る螺旋階段構造の全体構成の概略を示す部分斜視図である。
【図３】本発明に係る螺旋階段構造の支柱固定用のプレートを示す平面図である。
【図４】本発明に係る螺旋階段構造において、支柱を構成する各鋼材を天井の躯体に固定したプレートに取り付ける状態を示す側面図である。
【図５】図４の別角度からの側面図である。
【図６】本発明に係る螺旋階段構造において、手摺り壁を構成する各板材を吹き抜け壁部に固定したプレートに取り付ける状態を示す斜視図である。
【図７】本発明に係る螺旋階段構造の水平断面図である。
【図８】本発明に係る螺旋階段構造において、鋼材と板材と段板との取り付け状態を示す平面図である。
【図９】本発明に係る螺旋階段構造において、鋼材と板材と段板との取り付け状態を示す側面図である。
【符号の説明】
【００３０】
１  螺旋階段
２  支柱
２０  鋼材
３  手摺り壁
３０  板材
４  段板
４１  段板支持部材
５１  天井
５１ａ  躯体
５２  一階床面
【図１】
2008002092.tif 000003
【図２】
2008002092.tif 000004
【図３】
2008002092.tif 000005
【図４】
2008002092.tif 000006
【図５】
2008002092.tif 000007
【図６】
2008002092.tif 000008
【図７】
2008002092.tif 000009
【図８】
2008002092.tif 000010
【図９】
2008002092.tif 000011